(57)【要約】      （修正有）【課題】  駐車料金の割引を行うための技術を、容易に導入が可能、かつ低コストで提供する。【解決手段】  利用者の車両識別情報を受信する無線基地局装置１１２ｂと、利用者を識別する利用者ＩＤカード１０１と、利用者ＩＤカード１０１に割引情報を書き込む割引装置と、利用者ＩＤカード１０１に基づいて駐車料金の精算を行い、精算済みを設定する精算機制御手段２０７と、車両識別情報と、利用者識別情報と、駐車料金が精算済み情報とを対応付けて記憶する情報記録手段２０６と、無線基地局装置１１２ｂが車両識別情報を受信すると、情報記録手段２０６の精算情報に基づいて、車両の退出可否を判定する駐車場管理制御手段２０４とを備えた。【選択図】  図２
2006079172.tif 000002
【特許請求の範囲】
【請求項１】
駐車場の出口付近に設置され、利用者の車両に搭載された車載通信装置から前記車両を識別するための車両識別情報を無線通信により受信する出口無線基地局装置と、
前記利用者を識別するための利用者識別情報と、駐車料金の割引を行うための割引情報とを記憶するための記憶領域を備えた可搬型記憶装置と、
前記可搬型記憶装置に前記割引情報を書き込む割引情報書き込み装置と、
前記車両識別情報と、前記利用者識別情報と、駐車料金が精算済みであるかを示す精算情報とを対応付けて記憶する記憶装置と、
前記可搬型記憶装置から前記利用者識別情報と前記割引情報とを読み出し、前記割引情報に基づいて割引された駐車料金を算出して駐車料金の精算を行い、前記利用者識別情報に基づいて、前記記憶装置の前記精算情報に精算済みを示す情報を設定する精算装置と、
前記出口無線基地局装置が前記車両識別情報を受信すると、前記記憶装置の精算情報に基づいて、受信した車両識別情報の車両の退出可否を判定する退出判定装置と、を備えた駐車場システム。
【請求項２】
前記可搬型記憶装置に書き込まれた割引情報には有効期限が設定されていて、
前記精算装置は、駐車料金を算出する際に、前記有効期限が経過しているかを確認し、前記有効期限が経過しているときは割引をせずに駐車料金を算出し、前記有効期限が経過していないときは割引された駐車料金を算出することを特徴とする請求項１に記載の駐車場システム。
【請求項３】
前記割引情報書き込み装置が前記可搬型記憶装置に前記割引情報の書き込みを行った履歴を記憶する割引履歴記憶装置と、
前記精算装置が割引を行った実績を記憶する割引実績記憶装置と、をさらに備え、
前記割引情報書き込み装置は、前記割引情報を書き込む際に、前記可搬型記憶装置から前記利用者識別情報を読み出し、少なくとも前記利用者識別情報を含む割引情報書込履歴を前記割引履歴記憶装置に記憶し、
前記精算装置は、前記駐車料金の精算を行う際、前記可搬型記憶装置から読み出した前記利用者識別情報を少なくとも含む割引実績情報を前記割引実績記憶装置に記憶することを特徴とする請求項１に記載の駐車場システム。
【請求項４】
前記駐車場の入口付近に設置され、利用者の車両に搭載された車載通信装置から前記車両を識別するための車両識別情報を無線通信により受信する入口無線基地局装置と、
前記入口無線基地局装置が前記車両識別情報を受信すると、前記記憶装置を参照し、受信した車両識別情報が前記記憶装置に記憶されていないときは、前記車両の利用者に新たに利用者識別情報を割り当てる割り当て手段と、
割り当てられた利用者識別情報を記憶した可搬型記憶装置を発行する発行装置と、を更に備える請求項１に記載の駐車場システム。
【請求項５】
前記駐車場の入口付近に設置され、利用者の車両に搭載された車載通信装置から前記車両を識別するための車両識別情報を無線通信により受信する入口無線基地局装置と、
前記入口無線基地局装置が前記車両識別情報を受信すると、前記記憶手段に、受信した車両識別情報と対応付けて入場時刻を格納する格納手段と、を更に備え、
前記精算装置は、前記記憶手段に格納された入場時刻に基づいて駐車料金を算出し、前記算出された駐車料金から、前記割引情報に基づいて割引を行って割引された駐車料金を算出する請求項１に記載の駐車場システム。
【請求項６】
前記駐車場の入口付近に設置され、利用者の車両に搭載された車載通信装置から前記車両を識別するための車両識別情報を無線通信により受信する入口無線基地局装置と、
前記可搬型記憶装置から利用者識別情報を読み出す読み取り装置とを更に備え、
前記入口無線基地局装置が前記車両識別情報を受信すると、前記記憶手段を参照し、受信した車両識別情報が前記記憶装置に記憶されていないときは、
前記読み取り装置から読み出した利用者識別情報を前記受信した車両識別情報とともに前記記憶装置に記憶する請求項１に記載の駐車場システム。
【請求項７】
駐車場の出口付近に設置され、利用者の車両に搭載された車載通信装置から前記車両を識別するための車両識別情報を無線通信により受信する出口無線基地局装置を備え、駐車場の出口ゲートで停車せずに退出可能な駐車場における料金精算システムであって、
前記車両識別情報と、利用者を識別するための利用者識別情報と、駐車料金が精算済みであるかを示す精算情報とを対応付けて記憶する記憶装置と、
前記利用者識別情報と、料金の割引を行うための割引情報とを記憶した可搬型記憶装置から、前記利用者識別情報と前記割引情報とを読み出す読み出し手段と、
前記可搬型記憶装置から読み出した割引情報に基づいて割引された割引駐車料金を算出する駐車料金算出手段と、
前記割引された駐車料金の精算を行う精算手段と、
前記精算手段による精算後、前記可搬型記憶装置から読み出した利用者識別情報に基づいて、前記記憶装置の前記精算情報に精算済みを示す情報を設定する精算済設定手段とを備え、
前記無線基地局装置が退出しようとする車両から車両識別情報を受信したときに、前記車両の退出可否を判定するために、前記記憶手段が参照可能となっていることを特徴とする駐車料金精算システム。
【請求項８】
駐車場の出口付近に設置され、利用者の車両に搭載された車載通信装置から前記車両を識別するための車両識別情報を無線通信により受信する出口無線基地局装置を備え、駐車場の出口ゲートで停車せずに退出可能な駐車場で用いられる可搬型記憶装置であって、
利用者を識別するための利用者識別情報と、駐車料金の割引を行うための割引情報とを記憶するための記憶領域を備え、
前記記憶領域に記憶された前記割引情報は、駐車料金の精算装置が割引された割引駐車料金を算出するために読み出し可能であり、
前記記憶領域に記憶された前記利用者識別情報は、前記車両識別情報と前記利用者識別情報と駐車料金が精算済みであるかを示す精算情報とを対応付けて記憶する記憶装置に、前記精算装置が前記精算情報を格納するために読み出し可能である、ことを特徴とする可搬型記憶装置。
【請求項９】
利用者を識別するための利用者識別情報が記憶された可搬型記憶装置に、駐車料金の割引を行うための割引情報を書き込み、
前記可搬型記憶装置から前記利用者識別情報と前記割引情報とを読み出し、
前記割引情報に基づいて割引された駐車料金を算出して駐車料金の精算を行い、
前記利用者の車両を識別するための車両識別情報と、前記利用者識別情報と、駐車料金が精算済みであるかを示す精算情報とを対応付けて記憶する記憶装置に対して、前記読み出した利用者識別情報に基づいて、前記記憶装置の精算情報に精算済みを示す情報を設定し、
駐車場の出口付近に設置された無線基地局装置が、利用者の車両に搭載された車載通信装置から前記車両識別情報を無線通信により受信すると、前記記憶装置の精算情報に基づいて、受信した車両識別情報の車両の退出可否を判定する、駐車場の退出管理方法。
【発明の詳細な説明】
【技術分野】
【０００１】
本発明は、駐車場と連携した店舗等の施設において、店舗利用者に対する駐車料金の割引サービスを提供できる駐車場システムに関する。
【背景技術】
【０００２】
従来、駐車場を運用するために、駐車場の入口および出口にゲートを配置し、入口ゲートにて駐車券を発行し、出口ゲートにて駐車券に記録された入場時刻に基づいて駐車料金の精算を行い退出する駐車場システムが広く実用されている。また駐車場と連携した、店舗等において、利用者に対し駐車料金の割引サービスが提供されている。
【０００３】
これらの駐車券の発行、割引サービスを効率的に行うために、駐車場の出入口ゲートにて、無線通信にて車両に搭載した車載通信装置に装着されたＩＣカードのＩＤを受信し、出口ゲートにて再度ＩＣカードのＩＤを受信し駐車料金の精算処理を行うシステムが提案されている（例えば、特許文献１参照）。前記特許文献１においては、ＩＣカードを車載通信装置から取り外した上で店舗内に持ち込み、店舗に設置した端末装置にてＩＣカードからＩＤを読み取り、そのＩＤ及び割引情報を駐車場管理センタにて管理する。駐車料金精算時に車両から受信したＩＣカードのＩＤと、センタで管理する割引情報により駐車料金の割引を実施する。
【０００４】
また、電子ナンパープレートあるいはＥＴＣ自動料金収受システムの車載器等の、無線機あるいは車両の識別ＩＤの送信機能を有する移動局通信装置を用いた駐車場システムが提案されている（例えば、特許文献２参照）。電子ナンバープレートとは、車両に取り付けられ車両の登録番号あるいは無線機固有の識別情報を無線通信を介して外部に読み出すことを可能とする装置である。この駐車場システムでは、前記電子ナンバープレート等の移動局通信装置を用いて、駐車場の入口ゲートおよび出口ゲートにて移動局通信装置固有の識別情報を読み出し、駐車場への入退出および精算処理を自動化するものである。
【０００５】
【特許文献１】特開２００１−１５５２００号公報
【特許文献２】特開２００２−２３６９４８号公報
【発明の開示】
【発明が解決しようとする課題】
【０００６】
上記背景技術によれば、特許文献１に示す駐車場システムでは、ＩＣカードを媒体として用い、ＩＣカードのＩＤを用いて入退出の管理あるいは割引情報の管理を行っている。そのため、車両に搭載する車載通信装置にはＩＣカードの着脱機構およびＩＣカードの読み取り機能を有する駐車場システム専用の車載通信装置が必要となる。また割引サービスのために店舗に設置するＩＣカード読み出し端末と、駐車場の管理センタとを接続する必要もある。従って、システム導入時の費用負担が大きい。
【０００７】
また、特許文献２に示す駐車場システムでは、装置の識別ＩＤの送信機能のみを有する車載通信装置を用いるため導入が比較的容易ではあるものの、駐車場を離れた場所においては利用者に対して割引を付与するための手段が無い、あるいは利用者に付与された割引情報を確認する手段が無いため、駐車場と提携した店舗等において割引サービス実施することが出来ない。
【０００８】
そこで、本発明の目的は、車載通信装置から車両の識別ＩＤを受信して、車両の入退出管理を行う駐車場システムにおいて、駐車料金の割引を、容易に導入が可能でありかつ低コストで実現するための技術を提供することである。
【課題を解決するための手段】
【０００９】
本発明の一つの実施態様に従う駐車場システムは、駐車場の出口付近に設置され、利用者の車両に搭載された車載通信装置から前記車両を識別するための車両識別情報を無線通信により受信する出口無線基地局装置と、前記利用者を識別するための利用者識別情報と、駐車料金の割引を行うための割引情報とを記憶するための記憶領域を備えた可搬型記憶装置と、前記可搬型記憶装置に前記割引情報を書き込む割引情報書き込み装置と、前記車両識別情報と、前記利用者識別情報と、駐車料金が精算済みであるかを示す精算情報とを対応付けて記憶する記憶装置と、前記可搬型記憶装置から前記利用者識別情報と前記割引情報とを読み出し、前記割引情報に基づいて割引された駐車料金を算出して駐車料金の精算を行い、前記利用者識別情報に基づいて、前記記憶装置の前記精算情報に精算済みを示す情報を設定する精算装置と、前記出口無線基地局装置が前記車両識別情報を受信すると、前記記憶装置の精算情報に基づいて、受信した車両識別情報の車両の退出可否を判定する退出判定装置と、を備える。
【００１０】
好適な実施形態では、前記可搬型記憶装置に書き込まれた割引情報には有効期限が設定されている。そして、前記精算装置は、駐車料金を算出する際に、前記有効期限が経過しているかを確認し、前記有効期限が経過しているときは割引をせずに駐車料金を算出し、前記有効期限が経過していないときは割引された駐車料金を算出するようにしてもよい。
【００１１】
好適な実施形態では、前記割引情報書き込み装置が前記可搬型記憶装置に前記割引情報の書き込みを行った履歴を記憶する割引履歴記憶装置と、前記精算装置が割引を行った実績を記憶する割引実績記憶装置と、をさらに備えることができる。そして、前記割引情報書き込み装置は、前記割引情報を書き込む際に、前記可搬型記憶装置から前記利用者識別情報を読み出し、少なくとも前記利用者識別情報を含む割引情報書込履歴を前記割引履歴記憶装置に記憶することができる。さらに、前記精算装置は、前記駐車料金の精算を行う際、前記可搬型記憶装置から読み出した前記利用者識別情報を少なくとも含む割引実績情報を前記割引実績記憶装置に記憶することができる。
【００１２】
好適な実施形態では、前記駐車場の入口付近に設置され、利用者の車両に搭載された車載通信装置から前記車両を識別するための車両識別情報を無線通信により受信する入口無線基地局装置と、前記入口無線基地局装置が前記車両識別情報を受信すると、前記記憶装置を参照し、受信した車両識別情報が前記記憶装置に記憶されていないときは、前記車両の利用者に新たに利用者識別情報を割り当てる割り当て手段と、割り当てられた利用者識別情報を記憶した可搬型記憶装置を発行する発行装置と、を更に備えてもよい。
【００１３】
好適な実施形態では、前記駐車場の入口付近に設置され、利用者の車両に搭載された車載通信装置から前記車両を識別するための車両識別情報を無線通信により受信する入口無線基地局装置と、前記入口無線基地局装置が前記車両識別情報を受信すると、前記記憶手段に、受信した車両識別情報と対応付けて入場時刻を格納する格納手段と、を更に備えていてもよい。そして、前記精算装置は、前記記憶手段に格納された入場時刻に基づいて駐車料金を算出し、前記算出された駐車料金から、前記割引情報に基づいて割引を行って割引された駐車料金を算出することができる。
【００１４】
好適な実施形態では、前記駐車場の入口付近に設置され、利用者の車両に搭載された車載通信装置から前記車両を識別するための車両識別情報を無線通信により受信する入口無線基地局装置と、前記可搬型記憶装置から利用者識別情報を読み出す読み取り装置とを更に備える。そして、前記入口無線基地局装置が前記車両識別情報を受信すると、前記記憶手段を参照し、受信した車両識別情報が前記記憶装置に記憶されていないときは、前記読み取り装置から読み出した利用者識別情報を前記受信した車両識別情報とともに前記記憶装置に記憶するようにしてもよい。
【００１５】
本発明の一つの実施態様に従う駐車料金精算システムは、駐車場の出口付近に設置され、利用者の車両に搭載された車載通信装置から前記車両を識別するための車両識別情報を無線通信により受信する出口無線基地局装置を備え、駐車場の出口ゲートで停車せずに退出可能な駐車場における料金精算システムである。そして、前記車両識別情報と、利用者を識別するための利用者識別情報と、駐車料金が精算済みであるかを示す精算情報とを対応付けて記憶する記憶装置と、前記利用者識別情報と、料金の割引を行うための割引情報とを記憶した可搬型記憶装置から、前記利用者識別情報と前記割引情報とを読み出す読み出し手段と、前記可搬型記憶装置から読み出した割引情報に基づいて割引された割引駐車料金を算出する駐車料金算出手段と、前記割引された駐車料金の精算を行う精算手段と、前記精算手段による精算後、前記可搬型記憶装置から読み出した利用者識別情報に基づいて、前記記憶装置の前記精算情報に精算済みを示す情報を設定する精算済設定手段とを備え、前記無線基地局装置が退出しようとする車両から車両識別情報を受信したときに、前記車両の退出可否を判定するために、前記記憶手段が参照可能となっている。
【００１６】
本発明の一つの実施態様に従う可搬型記憶装置は、駐車場の出口付近に設置され、利用者の車両に搭載された車載通信装置から前記車両を識別するための車両識別情報を無線通信により受信する出口無線基地局装置を備え、駐車場の出口ゲートで停車せずに退出可能な駐車場で用いられる可搬型記憶装置であって、利用者を識別するための利用者識別情報と、駐車料金の割引を行うための割引情報とを記憶するための記憶領域を備える。そして、前記記憶領域に記憶された前記割引情報は、駐車料金の精算装置が割引された割引駐車料金を算出するために読み出し可能であり、前記記憶領域に記憶された前記利用者識別情報は、前記車両識別情報と前記利用者識別情報と駐車料金が精算済みであるかを示す精算情報とを対応付けて記憶する記憶装置に、前記精算装置が前記精算情報を格納するために読み出し可能である。
【発明を実施するための最良の形態】
【００１７】
以下、本発明の実施形態につき図面を用いて説明する。
【００１８】
本発明の第１の実施形態について、図１、図２、図３、図４を用いて説明する。図１は駐車場システムの概略の構成図であり、図２は図１に示す駐車場の詳細な構成図であり、図３および図４は駐車場システムの動作説明図である。
【００１９】
図１において、１０１は利用者が所持し利用者識別ＩＤが記録された利用者ＩＤカード、１０２は車両運転者である駐車場の利用者、１０３は車両、１０４は車両に固定して搭載された狭域通信用の移動局通信装置、１０５は駐車場、１０６は駐車場の管理装置、１０７は駐車料金を精算するための事前精算機、１１２は車両の入退出を制御するゲート装置、１０８は駐車場と提携した店舗、１０９は駐車料金を割り引くための割引情報を付与するための割引装置、１１０は割引装置を制御する割引情報書込み制御手段、１１０は利用者ＩＤカードに割引情報を書き込むためのＩＤカード書込み手段である。
【００２０】
車両１０３に搭載された移動局通信装置１０４には予め移動局固有の識別情報である移動局識別ＩＤが記録されている。ここで、移動局識別ＩＤは、移動局通信装置１０４を識別するための識別情報であるが、同時に移動局通信装置１０４を搭載している車両を一意に特定可能である。そして、駐車場の出入口に設けられたゲート装置１１２が移動局の識別ＩＤの受信を行う。駐車場の駐車場管理装置１０６は、入口に設置されたゲート装置１１２にて車両から受信した移動局識別ＩＤを記録する。駐車場管理装置１０６では移動局識別ＩＤと利用者ＩＤカード１０１の利用者識別ＩＤが関連付けられて記録されている。料金精算時には、事前精算機１０７が利用者ＩＤカード１０１から利用者識別ＩＤを読み取り、対応する移動局識別ＩＤの入場時刻を元に駐車料金を計算する。利用者がこの料金の精算をすると、当該移動局識別ＩＤの車両が精算済みであることを駐車場管理装置１０６に記録する。車両が出口を通過する時は、出口に設置したゲート装置１１２が移動局通信装置１０４から移動局識別ＩＤを受信する。そして、駐車場管理装置１０６に格納されている情報に基づいて精算済みであることが確認されると、この車両の退出が許可される。
【００２１】
利用者１０２は、提携店舗１０８等の施設を利用する際に利用者ＩＤカードを店舗１０８に携行し、施設利用の際に利用者ＩＤカードを提示し割り引きサービスを受ける。利用者ＩＤカード１０１には利用者識別ＩＤに加えて、割引情報を記憶するための書込みエリアが設けられており、該エリアに割引情報を追記することが可能である。すなわち、割引装置１０９の割引情報書込み制御手段１１０の制御により、割引金額あるいは割引時間等の割引情報を、ＩＤカード書込み手段１１１にて利用者ＩＤカード１０１に書き込む。店舗を利用後再び駐車場１０５に戻った利用者１０２は、事前精算機１０７にて駐車料金の精算を行う。その際に事前精算機は利用者ＩＤカード１０１に記録された割引情報を元に利用料金の割引を行い、割引後の駐車料金を請求し精算する。
【００２２】
本実施形態にかかる駐車場システムにおいて、移動局通信装置１０４は、少なくとも自局の識別ＩＤを送信する機能を備えていれば、駐車場と提携した店舗等における割引サービスの提供が可能となる。以下、上述した機能について詳細に説明する。
【００２３】
図２には、図１に示す駐車場システムの詳細な構成図を示す。同図において、２０１は移動局通信装置の無線部、２０２は通信制御手段、２０３は移動局に固有の識別情報を記録保持する為の識別情報保持手段、２０４は駐車場管理装置を制御するための駐車場管理制御手段、２０５は車両入退出時刻など得るための時計、２０６は駐車場への入場車両に関する情報を記録するための情報記録手段、２０７は事前精算機を制御するための精算機制御手段、２０８は利用者ＩＤカード１０１に記録された情報を読書きするためのＩＤカード読書き手段、２０９は料金表示部、２１０は料金入金手段、２１１は利用者ＩＤカード１０１に記録された割引情報に従って割引料金を計算する割引料金計算手段、２１２（２１２ａ、２１２ｂ）は移動局通信装置１０４と通信を行う基地局通信装置、２１３（２１３ａ、２１３ｂ）は車両の通路脇に設置され、車両の通行を禁止する遮断機、２１４は駐車場管理装置から受信した移動局識別ＩＤを媒体（可搬型記憶装置）に記録して発行する媒体発行機、２１５は出口に設置された精算機である。その他、図１に示したものと同様の動作を行うものについては同一の符号を付してある。
【００２４】
車両に搭載される狭域通信の移動局通信装置１０４としては、例えば、自動料金支払いシステム（ＥＴＣ：Ｅｌｅｃｔｒｏｎｉｃ  Ｔｏｌｌ  Ｃｏｌｌｅｃｔｉｏｎ）に用いられる車載器等を用いることができる。ＥＴＣ車載器では通信方式としては、社団法人  電波産業会にて定められた標準規格「狭域通信システム標準規格ＡＲＩＢ  ＳＴＤ−Ｔ７５」に準拠している。前記ＡＲＩＢ標準規格に準拠した移動局通信装置は、無線呼び出し符号（ＷＣＮ：Ｗｉｒｅｌｅｓｓ  Ｃａｌｌ  Ｎｕｍｂｅｒ）と呼ばれる移動局通信装置毎に固有の識別情報を保持しており、対向して通信する基地局通信装置に対して送信が可能である。図２の構成例の場合には、無線呼出し符号が移動局識別ＩＤとして識別情報保持手段２０３に記録されており、通信手段２０２の制御により無線送受信部２０１を介して、対向して通信する基地局通信装置２１２に対して無線呼出し符号の送信を行う。
【００２５】
狭域通信の基地局通信装置２１２は数ｍから数十ｍの通信領域を有しており、車両１０３に搭載された移動局通信装置１０４が入口あるいは出口ゲートに設置された基地局通信装置２１２ａ、２１２ｂの通信領域内に進入した際に無線通信が行なわれ、移動局通信装置１０４の識別情報保持手段２０３に格納した移動局識別ＩＤを読取ることが出来るよう構成されている。
【００２６】
媒体発行機２１４は入口ゲート付近に配置されている。そして、車両１０３が基地局通信装置２１２ａの通信領域へ進入してきたとき、媒体発行機２１４は、移動局通信装置１０４から受信した移動局識別ＩＤが駐車場管理装置１０６の情報記憶手段２０６に登録済みであるか確認する。そして、未登録の場合には、駐車場管理装置１０６からの指示により運転者である利用者に対して利用者ＩＤカード１０１を発行する。利用者ＩＤカード１０１は、各カードに固有の識別ＩＤとしての利用者識別ＩＤが記録された可搬型の記憶装置である。利用者ＩＤカード１０１は、例えば、紙あるいは樹脂等からなるカード状の記憶装置であって、利用者識別ＩＤを印刷記録あるいは磁気、電子的な記録がなされているものでよい。さらに利用者ＩＤカード１０１には店舗１０８に設置した割引装置１０９にて割引情報を書き込むための記憶領域が設けられている。割引情報は、駐車料金を割り引くため、例えば、一定金額の割引、あるいは一定の駐車時間分の駐車料金の割引（無料化）のための情報である。割引情報は、例えば、無料駐車可能な時間（例えば、２時間無料など）、割引金額、店舗名などの店舗識別情報、その店舗での購入金額などを含んでもよい。なお、利用者ＩＤカードの発行並びに記録される利用者識別ＩＤは、駐車場管理装置１０６により制御される。例えば、利用者識別ＩＤは、移動局識別ＩＤと同一に設定してもよい。
【００２７】
駐車場管理装置１０６は、例えば汎用的なコンピュータシステムにより構成され、個々の機能は、例えば、コンピュータプログラムを実行することにより実現される。駐車場管理制御手段２０４は、記憶装置により構成される情報記録手段２０６に記録された入場車両に関する情報に基づいて、入口ゲート装置１１２ａ、及び出口ゲート装置１１２ｂを制御し、車両の入退出を管理する。情報記録手段２０６には、例えば、図２に示すように、移動局識別ＩＤ、利用者識別ＩＤ、月極利用の有無、料金精算の有無、駐車場への入場時刻が、それぞれ対応付けられて記録されている。ここで、料金精算の有無は、駐車料金の精算が済んでいるかどうかを示す。
【００２８】
移動局通信装置１０４を搭載した車両１０３が入口ゲートを通過するとき、つまり、基地局通信装置２１２ａが移動局識別ＩＤを受信すると、駐車場管理制御手段２０４は、基地局通信装置２１２ａから移動局識別ＩＤの通知を受ける。ここで、駐車場管理制御手段２０４は、時計２０５からその時点での時刻を取得し、情報記録手段２０６に移動局識別ＩＤをキーにして入場時刻を記録する。また、車両が駐車場からの退出するときに、基地局通信装置２１２ｂが移動局識別ＩＤを受信すると、駐車場管理制御手段２０４は基地局通信装置２１２ｂから移動局識別ＩＤの通知を受ける。このとき、駐車場管理制御手段２０４は、情報記録手段２０６を参照し、移動局識別ＩＤをキーにして退出しようとしている車両の退出可否を判定する。つまり、退出しようとしている車両の利用者が、駐車料金を事前に精算済み、あるいは月極利用等であって、出口での精算が不要であるかを判定する。出口での精算が不要な場合は、駐車場管理制御手段２０４は退出を許可し（遮断機２１３ｂを上げるよう制御する）、精算が必要なときは精算が済むまで退出を許可しない（遮断機２１３ｂを下げたままに制御する）。
【００２９】
また、基地局通信装置２１２ａが移動局通信手段１０４から受信した移動局識別ＩＤが、情報記録手段２０６に登録されていない場合には、駐車場管理制御手段２０４は受信した移動局識別ＩＤを情報記録手段２０６に新規登録するとともに、利用者識別ＩＤ、入場時刻等を記録する。ここで利用者識別ＩＤは、既にあるものと重複しない新たな番号が付与される。また、利用者識別ＩＤを媒体発行機２１４に通知すると、媒体発行機２１４が通知を受けた利用者ＩＤを記録した利用者ＩＤカード１０１を、利用者に対して発行する。月極利用を利用する場合については、別途図示しない登録手段により登録を行う。その場合利用者ＩＤカード１０１の利用者識別ＩＤを用いて、移動局識別ＩＤを特定し情報記録手段２０６に登録を行う。
【００３０】
さらに、後述する事前精算機１０７からの利用者ＩＤの通知を受けると、その利用者ＩＤをキーにして情報記録手段２０６から入場時刻を取得する。そして、この入場時刻と時計２０５を参照して取得した現在時刻とから駐車していた時間（駐車時間）を算出して、事前精算機１０７へ返信する。
【００３１】
事前精算機１０７は、駐車場１０５の利用者出入口付近に設置され、利用者１０２が駐車場を退出する前に、予め駐車料金の精算を行うための装置である。事前精算機１０７は、ＩＤカード読書き手段２０８が、利用者１０２の所持する利用者ＩＤカード１０１から利用者識別ＩＤを読み出すと、駐車場管理装置１０６へ対応する車両の駐車時間を照会する。さらに、ＩＤカード読書き手段２０８が、利用者ＩＤカード１０１に記録された割引情報を読み出すと、割引料金計算手段２１１が割引情報に基づいて、割引された利用者への請求金額を計算する。なお、駐車料金が駐車時間に依存する場合は、駐車時間と割引情報とに基づいて割引された駐車料金が計算される。割引料金計算手段２１１は、割引時間が駐車時間を上回る等の場合は、請求金額が無料となるよう計算処理を行う。利用者への請求金額が料金表示部２１０に表示されると、料金入金手段２１０が利用者１０２からの現金あるいは、プリペイカード等を受け付けて、料金精算を行う。精算完了後、事前精算機１０７は精算完了を駐車場管理手段１０６に通知し、駐車場管理手段１０６にて精算済みを示す情報とその時刻を記録する。また、精算が完了すると、利用者ＩＤカード１０１は、割引情報が消去された後で利用者に返却される。
【００３２】
出口精算機２１５は事前精算機と同等の構成、機能を有し、事前精算を行わずに駐車場から退出する車両に対して、出口ゲート装置１１２ｂにて料金の精算を行うものである。
【００３３】
以上のような構成を備えた駐車場システムにおいて、車両の入退出、料金精算などの所手順について、図３および図４を用いて説明する。同図はそれぞれ、利用者１０２、移動局通信装置１０４、入口ゲート装置１１２ａ、出口ゲート装置１１２ｂ、事前精算機１０７、駐車場管理装置１０６、割引装置１０８の各機器間の動作を示しており、同図を用いて、車両の入退出、店舗での割り引き、料金精算の処理手順を説明する。前提として駐車場管理装置１０６の情報記録手段２０６には、既に移動局通信装置１０４の移動局識別ＩＤと、利用者ＩＤカードの利用者識別ＩＤが登録されているものとする。
【００３４】
まず移動局通信装置１０４を搭載した車両１０３が入口ゲート装置１１２ａに到来すると、移動局通信装置１０４は基地局通信装置２１２ａに対して移動局識別ＩＤを送信する（ステップＳ３０１）。基地局通信装置２１２ａは受信した移動局識別ＩＤを駐車場管理装置１０６に送信する（ステップＳ３０２）。駐車場管理装置１０６は移動局識別ＩＤを受信し、情報記録手段２０６に登録済みの移動局識別ＩＤを検索し、移動局識別ＩＤに対応付けて入場時刻を情報記録手段２０６に記録する。その後、駐車場管理装置１０６は遮断機２１３ａを上げて開放するよう指示をし（ステップＳ３０３）、遮断機２１３ａが開放されると車両１０３は停止することなく入口を通過する（ステップＳ３０４）。
【００３５】
駐車場１０５に入場後、駐車場と提携した店舗等の施設１０８を利用した利用者１０２は、駐車場の割引サービスを受けるため、利用者ＩＤカード１０１を割引装置１０９に挿入する（ステップＳ３０５）。割引装置１０９はＩＤカード書込み手段１１１により、利用者ＩＤカード１０１の割引情報書き込みエリアに、割引情報を記録する。割引情報書込み後、利用者ＩＤカードを割引装置１０９から排出され、利用者１０２に返却される（ステップＳ３０６）。
【００３６】
駐車場に再び戻った利用者１０２は、利用者ＩＤカード１０１を事前精算機１０７に挿入する（ステップＳ３０７）。事前精算機１０７は挿入された利用者ＩＤカードからＩＤカード読書き手段２０８にて、利用者識別ＩＤと割引情報を読み出し、利用者識別ＩＤを駐車場管理装置１０６に送信する（ステップＳ３０８）。駐車場管理装置１０６は情報記録手段２０６より受信した利用者識別ＩＤに対応付けられた移動局識別ＩＤの入場時刻を検索し、現在時刻と入場時刻から駐車時間を算出し、事前精算機１０７に送信する（ステップＳ３０９）。事前精算機１０７では割引料金計算手段２１０にて、受信した駐車時間と、先に読み出した割引情報から割引された駐車料金を計算し、料金表示部２０９に表示する（ステップＳ３１０）。利用者１０２は表示された金額を料金入金手段２１０に投入すると（ステップＳ３１１）、事前精算機１０７は精算が完了した旨を駐車場管理装置１０６に通知する（ステップＳ３１２）。駐車場管理装置１０６は、精算完了の通知を受信し、情報記録手段２０６に利用者識別ＩＤに対応する移動局識別ＩＤに対応付けて、精算完了の旨および精算時刻を記録する。また事前精算機１０７は、記録された割引情報を消去後に利用者ＩＤカード１０１を排出し、利用者１０２に返却する。
【００３７】
その後、利用者は駐車場１０５を退出するため、車両に搭乗し出口ゲート装置１１２ｂに到来する。移動局通信装置１０４は基地局通信装置２１２ｂに対して移動局識別ＩＤを送信する（ステップＳ３１４）。基地局通信装置２１２ｂは受信した移動局識別ＩＤを駐車場管理装置１０６に送信する（ステップＳ３１５）。駐車場管理装置１０６は移動局識別ＩＤを受信し、情報記録手段２０６に登録済みの移動局識別ＩＤを検索し、既に精算が完了済みであることを確認後に事前精算機１０７に精算済みの旨を通知し、遮断機２１３ｂに対して開放を指示する（ステップＳ３１６）。遮断機２１３ｂが開放されると車両１０３は停止することなく出口を通過する（ステップＳ３０４）。万一、事前精算がなされていない場合あるいは事前精算後に所定時間以上経過後は、ステップＳ３１６に代えて、未清算の旨を通知し、出口精算機２１５にて駐車料金あるいは延滞料金を精算した後に車両の通過を許可する。駐車場管理装置１０６は車両が出口を退出後、情報記録手段２０６より当該車両の移同局識別ＩＤに対応する入場時刻、精算済み情報を消去して処理を終了する。
【００３８】
上記のように、ＥＴＣ車載器の移動局識別ＩＤを用いることにより、駐車場の入退出時に停車することなく通過が可能であるとともに、駐車場と提携した店舗施設などにおいて割引サービスを受けることが可能となる。
【００３９】
上記図３の説明においては、駐車場管理装置１０６の情報記録手段２０６には、既に移動局通信装置１０４の移動局識別ＩＤと、利用者ＩＤカードの利用者識別ＩＤが登録されている前提で説明を行ったが、この登録手順について図４を用いて説明する。登録処理は未登録の車両が駐車場の入口に到来した際にその場で登録処理を行う。
【００４０】
まず移動局通信装置１０４を搭載した車両１０３が入口ゲート装置１１２ａに到来すると、移動局通信装置１０４は基地局通信装置２１２ａに対して移動局識別ＩＤを送信する（ステップＳ４０１）。基地局通信装置２１２ａは受信した移動局識別ＩＤを駐車場管理装置１０６に送信する（ステップＳ４０２）。駐車場管理装置１０６は移動局識別ＩＤを受信し、情報記録手段２０６に登録済みの移動局識別ＩＤを検索し、その移動局識別ＩＤが未登録であることを検出した場合、移動局識別ＩＤを情報記録手段２０６に新たに登録するとともに、利用者識別ＩＤを付与し移動局識別ＩＤと関連付けて新規登録する。新規登録する利用者識別ＩＤは、既に登録されたものとは重複しない任意の値を付与する。また、その際の入場時刻も同様に移動局識別ＩＤと関連付けて記録する。駐車場管理装置１０６は前記新規登録した利用者識別ＩＤを媒体発行機２１４に送信し、利用者ＩＤカードの発券を指示する（ステップＳ４０３）。媒体発行機２１４は受信した利用者識別ＩＤを利用者ＩＤカード上に記録し、前記利用者ＩＤカード１０１を利用者に発行する（ステップＳ４０４）。利用者１０２が発行された利用者ＩＤカード１０１を受領した後に、遮断機２１３ａを開放して車両１０３の通行を許可する（ステップＳ４０５）。
【００４１】
その後、店舗における割引処理、事前精算、出口における処理の手順は既に図３において説明したのと同様にて行われ、店舗での割引サービスを受けた上で、出口では停車することなく退出が可能である。また、同一車両が２回目以降に再来場した場合には、移動局識別ＩＤは既に駐車場管理装置１０６に登録済みであるため、停車することなく入場が可能である。
【００４２】
上記した実施形態では、駐車場管理装置１０６が付番し、媒体発行機２１４にて利用者ＩＤカード１０１に記録し発行する利用者識別ＩＤは、移動局識別ＩＤと同一値であってもかまわず、その場合にも上記説明と同様の動作が可能である。本実施形態に示した様に移動局識別ＩＤと媒体識別ＩＤを別の値として管理した場合には、移動局通信装置１０４の固有情報でなく駐車場管理装置１０６が任意に付番した値を利用者ＩＤカード１０１に記録するため、その利用者ＩＤカードを他人が不正に入手した場合であっても、被害の範囲は本実施形態の駐車場システムに関連する領域に止まり、移動局識別ＩＤを用いた他のシステムにおいて悪用される危険性が少ない。
【００４３】
また本実施形態では、車両１０３が入口ゲート装置１１２ａに到来時に、媒体発行機２１４により利用者ＩＤカード１０１を発行するよう説明したが、記録済みの利用者ＩＤカードを予め用意し、係員などが人手により利用者１１５に手渡しするようにしてもかまわない。あるいは媒体発行機にて一旦仮の利用者ＩＤカードを発行し、駐車場を継続して利用する利用者に対しては仮のＩＤカードと交換にて正規の利用者ＩＤカードを発行するよう運用することも可能である。例えば媒体発行機では紙製のＩＤカードを発行し、継続利用者に対しては樹脂製の耐久性の高いＩＤカードを発行することにより、ＩＤカードの発行に要する費用を低減することが可能となる。
【００４４】
また移動局通信装置の例として、ＥＴＣ自動料金支払いシステムに用いられる車載器等を例に説明を行なったが、車載器に固有の識別情報を送信可能なものであれば通信装置を限定するものでは無く、ナンバープレートを電子化し車両番号等の識別情報を無線で読み取り可能とする電子ナンバープレート等であってもかまわない。
【００４５】
上記したごとく、本実施形態では狭域通信の移動局通信装置の製造番号や呼び出し符号などの移動局の識別情報を、出入口に設置した基地局通信装置にて読み出すことにより、出入口の入退出時に停車することなく通過可能とした駐車場において、駐車場と連携した店舗等の施設での駐車料金の割引サービスの提供が可能となる。また店舗に設置する割引装置を駐車場の管理装置と接続する必要が無く、容易に導入が可能な駐車場システムの提供が可能である。
【００４６】
次に、本発明の第２の実施形態について、図５、図６、図７を用いて説明する。図５は駐車場システムの構成図、図６、図７は図５に示す駐車場システムの詳細な構成図である。
【００４７】
本実施形態は、移動局通信装置の識別情報を読み出すことにより、車両の入退出を管理する駐車場において、駐車料金の割引を行った実績を保存し、所定期間ごとに店舗ごとの割引実績を集計し、割引を行った店舗に対して駐車料金の補填を請求可能とし、また駐車場からの請求に対して店舗側にて照合を可能とするものである。
【００４８】
図５において、５０１は利用者が所持し利用者識別ＩＤが記録された利用者ＩＤカード、５０２は駐車場、５０３は駐車場管理装置、５０４は割引実績管理手段、５０５は駐車料金を精算するための事前精算機、５０６は車両の入退出を制御するゲート装置、５０７は駐車場と提携した店舗、５０８は割引サービスを付与するための割引装置、５０９は割引履歴を保存する割引履歴管理手段である。
【００４９】
利用者ＩＤカード５０１の割引情報の書き込みエリアには割引情報として、割引金額等に加えて、割引を行った店舗などの割引者情報が書き込み可能である。割引装置５０８は割引処理時に利用者ＩＤカード５０１に割引金額あるいは割引時間と、自身の店舗を示す割引者情報を書き込む。割引装置５０８は、さらに、割引を行った、利用者ＩＤ、割引額、日時などの履歴を割引履歴管理手段５０９に記録する。
【００５０】
割引実績管理手段５０４は、駐車料金精算時に、割引者および割引金額等の情報を事前精算機５０５より受信し、これらの情報を割引実績情報として記録するとともに、１週間あるいは１ヶ月等の所定の期間ごとに、割引者別に割引金額を集計し出力を行う。
【００５１】
これにより、駐車場５０２を経営する事業者は、集計された割引金額を、割引を行った店舗に対して請求することが可能となる。また駐車料金の割引を行った店舗では、割引履歴管理手段５０９に記録された履歴情報と照合することにより、不正な料金請求を排除することが可能となる。
【００５２】
図６に、図５に示した割引装置５０８および利用者ＩＤカード５０１の詳細な構成図を示す。同図において、５０１は利用者ＩＤカード、５０８は割引装置、６０１は割引情報書込制御手段、６０２は割引金額あるいは割引時間を入力するための割引額入力手段、６０３は利用者ＩＤカード５０１に割引情報を書き込む為のＩＤカード読書き手段、６０４は時計、６０５は割引装置５０８を設置した店舗５０７を識別するための情報を格納した割引者ＩＤ保持手段、６０６は割引履歴を記録する割引履歴記録手段、６０７は割引履歴を外部装置に出力するための割引履歴出力手段、６０８は割引装置５０８に記録された割引履歴を取得し表示するためのパーソナルコンピュータ（ＰＣ）、６０９は割引装置５０８に記録された割引履歴を印刷するためのプリンタである。
【００５３】
利用者ＩＤカード５０１には利用者識別ＩＤと割引情報の書き込みエリアとを備え、割引情報書き込みエリアには、割引を実施した店舗示す割引者ＩＤと、割引金額または割引時間と、記録された割引情報の有効期限情報が記録される。有効期限としては例えば割引を行った当日のみ有効とするあるいは一定期間有効とする為の日付時間等の情報が記録される。また前記提携店舗による割引情報とは別に、駐車場利用頻度に応じて駐車場側が割引サービスを行うための、駐車場マイレージ情報が記録される。割引装置５０８には割引額入力手段６０２が設けられ、店舗での利用金額に応じた割引額の指定を行う。また割引者ＩＤ保持手段６０５には割引装置５０８を設置した店舗を識別するための識別ＩＤが記録され、利用者ＩＤカードへの割引情報書込み時に、割引者ＩＤとして書き込まれる。割引履歴記録手段６０６には、利用者ＩＤカード５０１への割引情報の書込み時に、書込みを行った利用者ＩＤカードの利用者識別ＩＤと、割引額、および割引日時が記録される。割引履歴出力手段６０７は外部に接続したＰＣ６０８、プリンタ６０９に割引を行った日時、割引額、割引を行った利用者ＩＤなどの履歴情報を出力し、店舗経営者が確認することが出来る。
【００５４】
図７に、図５に示した駐車場５０２に設置する装置の詳細な構成図を示す。同図において５０６（５０６ａ、５０６ｂ）は入口ゲート装置および出口ゲート装置、５０３は駐車場管理装置、７０１は駐車場管理装置を制御するための駐車場管理制御手段、７０２は車両入退出時刻など得るための時計、７０３は駐車場への入場車両に関する情報を記録するための情報記録手段、７０４は料金精算時に割引を実施した際の割引実績を記録するための割引実績記録手段、７０５は割引実績を集計するための割引実績集計出力手段、７０６は割引実績を表示するためのパーソナルコンピュータ（ＰＣ）、７０７は割引実績を印刷するためのプリンタ、５０５は事前精算機、７０８は事前精算機を制御するための精算機制御手段、７０９は利用者ＩＤカード５０１に記録された情報を読書きするためのＩＤカード読書き手段、７１０は料金表示部、７１１は料金入金部、７１２は利用者ＩＤカード５０１に記録された割引情報に従って割引料金を計算する割引料金計算手段、７１３は駐車場利用時間等に応じて、駐車場マイレージを付与するためのマイレージ管理手段、７１４は利用者ＩＤカード５０１に記録された有効期限に従って割引実施の可否を判定する有効期限判定手段、７１５は前記有効期限の判定時に時刻を得るための時計である。
【００５５】
事前精算機５０５は駐車料金の精算時に、ＩＤカード読書き手段７０９により利用者ＩＤカード５０１の利用者識別ＩＤと割引情報すなわち割引者ＩＤ、割引額、有効期限、駐車場マイレージ情報等を読み出す。読み出した利用者識別ＩＤは駐車場管理装置５０３に送信される。駐車場管理装置５０３では利用者識別ＩＤに対応した移動局識別ＩＤより、その駐車時間を算出し事前精算機５０５に通知する。事前精算機５０５は受信した駐車時間と割引情報より、割引料金計算手段７１２にて割引された駐車料金の計算を行う。駐車料金の計算に当たっては、予め割引情報の有効期限を、有効期限判定手段７１４にて確認し、有効期限内であった場合に割引を実施する。計算された駐車料金を料金表示部７１０に表示し、利用金入金手段７１１にて入金を確認後、精算の完了を駐車場管理装置５０３に通知する。通知の際に割引を実施した場合には、割引者ＩＤ、割引額、利用者ＩＤも同時に通知する。駐車場管理装置５０３では受信した割引者ＩＤ、割引額、利用者ＩＤを割引実績記録手段７０４に記録する。割引実績集計出力手段７０５は所定の期間、例えば一週間あるいは一ヶ月単位で、割引を実施した店舗ごとの割引額を集計し、外部に接続された、ＰＣ７０６あるいはプリンタ７０７に出力する。
【００５６】
なお本実施形態における、入口ゲート装置５０６ａおよび出口ゲート装置５０６ｂの構成、および車両の入退出時の処理手順については、前記第１の実施形態と同様の処理手順にて行われる。
【００５７】
また駐車場の利用頻度に応じた所謂マイレージサービスを行う場合には、事前精算機５０５での精算時に、マイレージ管理手段７１３にて駐車時間に応じたマイレージ度数を付与し利用者ＩＤカード５０１の駐車場マイレージ情報に加算する、あるいは利用者ＩＤカード上に一定度数以上のマイレージが記録されている場合には、割引料金計算手段７１２での料金計算時にマイレージ度数に応じて駐車料金の割引を実施してもかまわない。
【００５８】
上記した本実施形態では駐車場を経営する事業者は、集計された割引金額を、割引を行った店舗に対して請求することが可能となる。また駐車料金の割引を行った店舗では、割引履歴情報と照合することにより、不正な料金請求を排除することが可能となる。また利用者ＩＤカード５０１に記録する割引情報に有効期限を記録することにより、当日駐車場を利用していない顧客に対して、例えば普段は車両で来店する顧客が徒歩で来店した場合に割引を実施した場合でも、後日その割引が実施されることは無いため、不必要な割引サービスを付与することを防止出来る。
【００５９】
次に、本発明の第３の実施形態について、図８を用いて説明する。図８は、駐車場システムに用いる利用者ＩＤカードの一実施形態である。本実施形態は上記第２の実施形態に示す駐車場システムに利用可能な利用者ＩＤカードであって、利用者ＩＤカード８０１の割引情報書き込みエリア上に、複数の割引情報を記憶する領域を設け、割引に関する複数の情報を記録するものである。割引情報としては、提携する店舗が付与する割引情報と、駐車場の利用頻度等に応じて行うマイレージ等の割引情報、さらに利用者の属性に応じた割引情報を記録する。
【００６０】
提携する店舗が付与する割引情報として、複数の店舗が発行する情報を記録するエリアを設ける。精算時には、複数の店舗から発行された割引情報を加算して割引する、あるいはどちらか割引額の大きな割引情報のみを有効とするよう運用しても良い。また、利用者の属性に応じた割引情報としては、例えば身体障害者に対して割引を行う際に、障害の有無または障害の程度を示す情報を記録する。また一定年齢以上に達した利用者に対して割引を行うために、高齢者割引の対象の有無または生年月日等の年齢情報を記録する。精算時は利用者ＩＤカード８０１に記録された利用者の属性情報を読み取り、それに応じた割引を実施する。
【００６１】
前記利用者の属性に応じた情報は、店舗にて割引を受ける際に障害者手帳あるいは身分証明書等の、利用者の属性を証明する身分証明書等を提示し、店舗が付与する割引情報のと同時に利用者ＩＤカード８０１に書込みを行う。利用者の属性に応じた情報は、一旦記録した後は、それ以降の利用時でも有効とすることができ、この場合、利用の都度身分証明書等を提示する必要はない。
【００６２】
本実施形態では、割引情報を複数記録することにより複数の割引の組み合わせが可能となり、駐車場利用者へ幅広い割引サービスの提供を行うことが出来る。また利用者の属性に応じた割引を実施することが可能となり、利用者に合わせたサービスの提供が出来る。さらに、利用者の属性情報の書込みを店舗等での割引の際に同時に行う場合には、利用者が利用者ＩＤカードを提示する機会は一度で済み、利用者の利便性が向上する。
【００６３】
次に、本発明の第４の実施形態について、図９を用いて説明する。図９は、割引装置の一実施形態を示す図である。同図において８０２は店舗施設等に設置された割引装置、８０３は割引装置８０２を制御する割引情報書込み制御手段、８０４は利用者ＩＤカードに割引情報を書き込むためのＩＤカード書込み手段、８０５は駐車場管理装置と接続され車両の来場の有無を確認するための在庫確認手段である。
【００６４】
本実施形態の割引装置８０２は第１あるいは第２の実施形態に示す駐車場システムに用いられる割引装置である。割引装置８０２には在庫確認手段８０５を備え、ＩＤカード読書き手段による割引情報の書込みに際して、利用者ＩＤカードから利用者識別ＩＤを読み出し、駐車場管理装置に送信する。駐車場管理装置では利用者識別ＩＤに対応する移動局識別ＩＤに該当する車両が駐車場に入場しているか否かを検索し、在庫確認手段８０５に返信する。在庫確認手段８０５にて車両が駐車場に入場している場合にのみ、割引情報の書込みを行う。
【００６５】
上記した本実施形態では、当日駐車場を利用していない顧客に対して、例えば普段は車両で来店する顧客が徒歩で来店した場合には、割引情報の書込みは行われることが無く、不必要な割引サービスを付与することを防止出来る。
【００６６】
次に、本発明の第５の実施形態について、図１０、図１１を用いて説明する。図１０は駐車場システムの構成図、図１１は駐車場システムの動作説明図である。
【００６７】
この実施形態は、移動局通信装置の識別情報を読み出すことにより、車両の入退出を管理する駐車場において、駐車場にて利用者ＩＤカードを発行することなく、予め発行され利用者が既に所有している記録媒体に割引情報を書き込むことにより、駐車料金の割引サービスを行うものである。
【００６８】
図１０において、１０３は車両、１０４はＥＴＣ車載器等の車両に固定して搭載された狭域通信用の移動局通信装置、１０８は駐車場と提携した店舗、１０９は割引サービスを付与するための割引装置、９０１は利用者が所持し利用者識別ＩＤが記録された利用者ＩＤカード、９０２は駐車場、９０３は駐車場の管理装置、９０４ａ、９０４ｂは入口および出口に設置されたゲート装置、２１２ａは基地局通信装置、２１３ａは遮断機、９０５は利用者ＩＤカードの利用者識別ＩＤを読み取る媒体読み取り手段、１０７は事前精算機である。
【００６９】
利用者ＩＤカード９０１は例えば、利用者の所持する可搬型記憶装置であって、店舗等の会員証、運転免許証、社員証、施設会員証あるいは自治体の住民カード等の記録媒体であってもよく、該記録媒体上に顧客番号、運転免許番号、社員番号、会員番号、あるいは住民番号等の利用者毎の固有の利用者識別ＩＤが記録された記録媒体であってもよい。前記利用者ＩＤカードは紙あるいは樹脂製のカード状の記録媒体であって、その表面に前記利用者識別ＩＤが印字記録、バーコード、または表面の凹凸文字、あるいは記録媒体に内蔵されたＩＣチップに電子的に記録されているものであり、割引情報を追記可能な割引情報書き込みエリアを備えたものである。
【００７０】
本実施形態において、移動局通信装置１０４の移動局識別ＩＤと、利用者ＩＤカード９０１の利用者識別ＩＤが駐車場管理装置９０３に既に登録されている場合には、駐車場への入退出時の処理、割引処理、精算処理の各手順は第１の実施形態に示したものと同様に処理がなされる。それにより、ＥＴＣ車載器等の移動局識別ＩＤを用いることにより、駐車場の入退出時に停車することなく通過が可能であるとともに、駐車場と提携した店舗施設などにおいて割引サービスを受けることが可能となる。
【００７１】
次に、図１１を用いて移動局通信装置１０４の移動局識別ＩＤと、利用者ＩＤカード９０１の利用者識別ＩＤの登録手順について説明する。登録処理は未登録の車両が駐車の入口に到来した際にその場で登録処理を行う。
【００７２】
まず移動局通信装置１０４を搭載した車両１０３が入口ゲート装置９０４ａに到来すると、移動局通信装置１０４は基地局通信装置２１２ａに対して移動局識別ＩＤを送信する（ステップＳ９１０）。基地局通信装置２１２ａは受信した移動局識別ＩＤを駐車場管理装置９０３に送信する（ステップＳ９１１）。駐車場管理装置９０３は移動局識別ＩＤを受信し、登録済みの移動局識別ＩＤを検索し、その移動局識別ＩＤが未登録であることを検出した場合、段媒体読み取り手段９０５に対し利用者の所持する利用者ＩＤカード９０１から利用者識別ＩＤの読み取りを指示する（ステップＳ９１２）。媒体読み取り手段９０５は、利用者に対して所持する利用者ＩＤカード９０１を当該読み取り手段に読取らせるよう表示装置（図示せず）等で操作を促し、提示された利用者ＩＤカード９０１より記録された利用者識別ＩＤを読み取る（ステップＳ９１３）。媒体読み取り手段９０５は読取った利用者識別ＩＤを駐車場管理装置９０３に送信する（ステップＳ９１４）。駐車場管理装置９０３は、受信した利用者識別ＩＤと移動局識別ＩＤとを関連付けて新規登録する。また、その際の入場時刻も同様に移動局識別ＩＤと関連付けて記録する。利用者ＩＤカード９０１の読み取り後、遮断機２１３ａを開放して車両１０３の通行を許可する（ステップＳ９１５）。
【００７３】
その後、店舗における割引処理、事前精算、出口における処理の手順は既説明と同様にて行われ、店舗での割引サービスを受けた上で、出口では停車することなく退出が可能である。また、同一車両が２回目以降に再来場した場合には、移動局識別ＩＤは既に駐車場管理装置９０３に登録済みであるため、入場時は停車することなく入場が可能である。
【００７４】
上記した実施形態では、利用者が既に所持する利用者ＩＤカード９０１を用いる為、利用者毎に発券することなく利用者ＩＤカードの発券に要する資源を節約することが可能である。また移動局通信装置の例として、ＥＴＣ自動料金支払いシステムに用いられる車載器等を例に説明を行なったが、車載器に固有の識別情報を送信可能なものであれば通信装置を限定するものでは無く、ナンバープレートを電子化し車両番号等の識別情報を無線で読み取り可能とする電子ナンバープレート等であってもかまわない。また、駐車場管理装置１０６及び事前精算機１０７は、纏めて一つのコンピュータマシンで集中的に実現することもできるし、それぞれ一つのコンピュータマシンに分けて実現することもできる。
【００７５】
また移動局通信装置の移動局識別ＩＤと、利用者ＩＤカードの利用者識別ＩＤの駐車場管理装置に登録する処理は、車両が駐車場入口に来場した際に行うよう説明を行ったが、事前に移動局識別ＩＤと利用者識別ＩＤが判明している場合には、駐車場管理装置９０３に事前に登録を行っておいてもかまわない。この場合には初回の利用時から停車することなく入場が可能となる。
【００７６】
上述した種々の実施形態では、狭域通信の移動局通信装置の製造番号や呼び出し符号などの移動局の識別情報を、出入口に設置した基地局通信装置にて読み出すことにより、出入口の入退出時に停車することなく通過可能とした駐車場において、駐車場と連携した店舗等の施設での駐車料金の割引サービスの提供が可能となる。この際、店舗に設置する割引装置を駐車場の管理装置と接続しなくても割引サービスを提供することも可能である。
【００７７】
なお、上述のすべての実施形態において、移動局通信装置および基地局通信装置の通信に用いる狭域通信方式としては有料道路自動料金収受システムに用いる狭域通信方式に限定するものではなく、ＩＥＥＥ８０２．１１規格等の無線ＬＡＮを用いた方式であっても、あるいは赤外線などの光通信によるものあっても良く、基地局通信装置の通信領域が狭領域であって、移動局通信装置を搭載した車両位置を概ね特定出来るものであれば上記実施形態に示す駐車場システムに利用可能である。また、上記各実施形態にて示すように、移動局通信装置として有料道路自動料金収受システムに用いる車載器を用いた場合には利用者が別途特別な装置を用意することなく、駐車場システムを利用することが可能となるため、利用者の経済的負担を軽減することができ、また本発明の駐車場システムの普及が容易となる。
【００７８】
また移動局通信装置の識別情報として、製造番号や無線呼出し符号の場合を例に説明を行ったが、移動局装置を識別可能な情報であって移動局通信装置を搭載した車両を区別して識別可能なものであればかその他の情報であってもかまわず、製造番号等のように装置製造時に記録するような情報以外であっても、例えば移動局通信装置の識別情報保持手段を書込み可能に構成し、駐車場入場時に新たに番号を付与して無線通信にて情報を書き込むことにより移動局通信装置の識別番号として用いた場合にも本駐車場システムでの利用が可能である。
【００７９】
また駐車場のゲート装置を入口と出口の双方に配置し、駐車時間から料金を計算するよう説明を行ったが、駐車料金を固定料金とした場合には、出口のみにゲート装置を配置し、車両が出口を通過の際に料金の精算済みを確認して通過を許可するよう構成しても良い。
【００８０】
また媒体発行機あるいは媒体読み取り手段を入口ゲート装置に設置し、移動局通信装置の移動局識別ＩＤが未登録時に利用者ＩＤカードを発行するあるいは利用者の所持する媒体から利用者ＩＤを読み出し、駐車場管理装置に新規登録するよう説明をおこなったが、入口以外の場所に同様の装置を設置し登録を行ってもかまわない。あるいは新規登録の際に、移動局識別ＩＤの読み出し、利用者ＩＤカードの発行あるいは利用者の所持する媒体からの利用者ＩＤの読み出し、移動局識別ＩＤおよび利用者識別ＩＤの駐車場管理装置への登録、これら一連の作業を係員が手作業にて行ってもかまわない。この場合には登録作業時にのみ人手を要するが、一旦登録後はその後の駐車場への入退出は上記実施形態同様に行われるため、利用者の利便性を大きく損なうことなく、かつ駐車場システムの媒体発行機等の導入にかかわる負担を低減することが出来る。
【００８１】
また駐車場管理装置は独立した装置として説明を行ったが、事前精算機、あるいは入口および出口ゲート装置が、上記実施形態で説明した駐車場管理装置の機能を有するように構成してもかまわず、その場合には駐車場管理装置の設置スペースが不要となり駐車場システムの設置が容易となる。
【００８２】
上述の実施形態により、自装置の識別ＩＤの送信機能を有する移動局通信装置を用いた駐車場システムにおいて、入退出処理の効率化を図りノンストップで駐車場への入退出が可能となる。さらに、駐車場と提携した店舗等における割引サービスの提供が可能となることにより利用者にとって利便性が向上する。
【図面の簡単な説明】
【００８３】
【図１】本発明の駐車場システムの構成図である。
【図２】図１の駐車場の詳細な構成例図である。
【図３】本発明の駐車場システムの動作説明図である。
【図４】本発明の駐車場システムの動作説明図である。
【図５】本発明の駐車場システムの構成図である。
【図６】図５に示す駐車場の詳細な構成図である。
【図７】図５に示す駐車場の詳細な構成図である。
【図８】本発明の駐車場情報配信システムの利用者ＩＤカードの構成例図である。
【図９】本発明の駐車場システムの構成図である。
【図１０】本発明の駐車場システムの構成図である。
【図１１】図１０に示す駐車場システムの動作説明図である。
【符号の説明】
【００８４】
１０１…利用者ＩＤカード、
１０３…車両、
１０４…移動局通信装置、
１０５…駐車場、
１０６…駐車場管理手段、
１０７…事前精算機、
１０９…割引装置、
１１１…ＩＤカード書込み手段
１１２…ゲート装置、
２０３…識別情報保持手段、
２０６…情報記録手段、
２０８…ＩＤカード読書き手段、
２１１…割引料金計算手段、
２１４…媒体発行機。
【図１】
2006079172.tif 000003
【図２】
2006079172.tif 000004
【図３】
2006079172.tif 000005
【図４】
2006079172.tif 000006
【図５】
2006079172.tif 000007
【図６】
2006079172.tif 000008
【図７】
2006079172.tif 000009
【図８】
2006079172.tif 000010
【図９】
2006079172.tif 000011
【図１０】
2006079172.tif 000012
【図１１】
2006079172.tif 000013